(57)【要約】      （修正有）【課題】各構成間の角度を便利に調節できる電動マットレスを提供する。【解決手段】電動マットレスであって、マットレスフレーム１０と、マットレスフレーム１０を包むマットレスクラッドと、を備え、マットレスフレーム１０は、背もたれ部１０１と、座位部１０２と、太もも部１０３と、すね部１０４と、を含み、座位部１０２と背もたれ部１０１との間、座位部１０２と太もも部１０３との間、及び太もも部１０３とすね部１０４との間に回転接続されており、且つ座位部１０２と背もたれ部１０１との間、及び座位部１０２と太もも部１０３との間における角度を所定角度に調節することができる。【選択図】図４
0003218432.tif 000002
【実用新案登録請求の範囲】
【請求項１】
マットレスフレーム（１０）と、前記マットレスフレーム（１０）を包むマットレスクラッド（１１）と、を備え、
前記マットレスフレーム（１０）は、背もたれ部（１０１）と、座位部（１０２）と、太もも部（１０３）と、すね部（１０４）と、を含み、前記座位部（１０２）と前記背もたれ部（１０１）との間、前記座位部（１０２）と前記太もも部（１０３）との間、及び前記太もも部（１０３）と前記すね部（１０４）との間は回転可能に接続されており、前記座位部（１０２）と前記背もたれ部（１０１）との間の角度、及び前記座位部（１０２）と前記太もも部（１０３）との間の角度は、所定角度に調節することができる
ことを特徴とする電動マットレス（１）。
【請求項２】
前記座位部（１０２）には第１電気駆動部と第２電気駆動部とが設置されており、
前記第１電気駆動部は、前記背もたれ部（１０１）が前記座位部（１０２）に対して回転するように前記背もたれ部（１０１）を駆動し、
前記第２電気駆動部は、前記太もも部（１０３）が前記座位部（１０２）に対して回転するように前記太もも部（１０３）を駆動する
ことを特徴とする請求項１に記載の電動マットレス（１）。
【請求項３】
前記第１電気駆動部は、前記背もたれ部（１０１）が前記座位部（１０２）に対して上方へ回転するように前記背もたれ部（１０１）を駆動し、
前記第２電気駆動部は、前記太もも部（１０３）が前記座位部（１０２）に対して上方へ回転するように前記太もも部（１０３）を駆動し、この状態で、前記すね部（１０４）は重力により前記太もも部（１０３）に対して下方へ回転する
ことを特徴とする請求項２に記載の電動マットレス（１）。
【請求項４】
前記第１電気駆動部は、第１モーター（１０６）と、第１モーター（１０６）と接続される第１モーターロッド（１０７）と、を含み、第１モーター（１０６）は前記座位部（１０２）における第１モーター取り付け部（１１０）に固定され、第１モーターロッド（１０７）は第１モーターロッド取り付け部（１１２）に接続して固定され、第１モーターロッド取り付け部（１１２）は前記背もたれ部（１０１）と共に回転する第１回転軸（１１３）に固定され、
前記第２電気駆動部は、第２モーター（１０８）と、第２モーター（１０８）と接続される第２モーターロッド（１０９）と、を含み、第２モーター（１０８）は前記座位部（１０２）における第２モーター取り付け部（１１１）に固定され、第２モーターロッド（１０９）は第２モーターロッド取り付け部（１１５）に接続して固定され、第２モーターロッド取り付け部（１１５）は前記太もも部（１０３）と共に回転する第２回転軸（１１６）に固定される
ことを特徴とする請求項３に記載の電動マットレス（１）。
【請求項５】
前記背もたれ部（１０１）と前記座位部（１０２）との間の角度は、１０４度から１８０度までの範囲で調整可能であり、前記太もも部（１０３）と前記座位部（１０２）との間の角度は、１３８度から１８０度までの範囲で調整可能であることを特徴とする請求項３に記載の電動マットレス（１）。
【請求項６】
前記マットレスフレーム（１０）は更に底座枠（１０５）を含み、前記底座枠（１０５）は前記座位部（１０２）の底部に接続して固定される
ことを特徴とする請求項３に記載の電動マットレス（１）。
【請求項７】
前記マットレスクラッド（１１）は、内層である高反発スポンジ（２２）と外層であるジュート板（２３）を含む
ことを特徴とする請求項３に記載の電動マットレス（１）。
【請求項８】
コントローラ（１２）を更に含み、
前記コントローラ（１２）は、前記第１電気駆動部と前記第２電気駆動部とを別々に制御する
ことを特徴とする請求項２〜７のいずれか一項に記載の電動マットレス（１）。
【請求項９】
前記コントローラ（１２）は、有線制御装置である
ことを特徴とする請求項８に記載の電動マットレス（１）。
【請求項１０】
前記コントローラ（１２）は、無線制御装置である
ことを特徴とする請求項８に記載の電動マットレス（１）。
【考案の詳細な説明】
【技術分野】
【０００１】
本考案はマットレスに関わり、具体的には、マットレスの各構成間の角度を調節できる電動マットレスに関わる。
【背景技術】
【０００２】
生活レベル及び生活品質の向上につれて、住まいに使用されるベッドとして調節可能なものが求められ、これにより、個人の好みに合わせて最も快適な寝転ぶ姿を選択することができる。このような機能を有するベッドは、ギャッチベッドと呼ばれる。
【０００３】
従来のギャッチベッドとして、固定されたベッドフレームと可動式のベッド面とを備えるものが多い。具体的には、従来のギャッチベッドは、ベッドフレームに設置された駆動装置によりベッド面の前部、中部及び後部を適切な角度まで動かし、異なるユーザによるベッドに対する様々な要望を満たす。駆動装置はモーターである場合、ギャッチベッドが電動ベッドと呼ばれる。
【０００４】
従来技術のギャッチベッドにおいて、ベッド面は、マットレスと、複数のボード又はボードフレームが可動ピン連結により形成されるベッド面フレームとを含み、マットレスは、ボード又はボードフレームのサイズに応じた複数のパッドを組み合わせてなり、各パッドが互いに独立に設置されてもよく、ベッドカバーで各パッドをまとめて一体化されたマットレスにしてもよい。
【０００５】
上記のように、従来のギャッチベッドは各パーツが独立しており、また、ベッドフレームの駆動装置は通常露出されており、全体構造が複雑であり、ユーザに不便である。また、通常ベッドフレームは重くて設置するのが面倒で、例えば、室内に置くしかなく、また、ギャッチベッドを一旦所定の場所に設置したら場所を変えるのは難しくて、また、長く使うと、厭きることもある。
【考案の概要】
【考案が解決しようとする課題】
【０００６】
本考案は上記従来の問題点に鑑みてなされたものであり、各構成間の角度を便利に調節できる電動マットレスを提供することを目的とする。
【課題を解決するための手段】
【０００７】
本考案によれば、本考案に係る電動マットレスはマットレスフレームと、前記マットレスフレームを包むマットレスクラッドと、を備え、前記マットレスフレームは、背もたれ部と、座位部と、太もも部と、すね部と、を含み、前記座位部と前記背もたれ部との間、前記座位部と前記太もも部との間、及び前記太もも部と前記すね部との間は回転可能に接続されており、前記座位部と前記背もたれ部との間の角度、及び前記座位部と前記太もも部との間の角度は、所定角度に調節することができる。
【０００８】
好ましくは、前記座位部には第１電気駆動部と第２電気駆動部を設置し、前記第１電気駆動部は、前記背もたれ部が前記座位部に対して回転するように前記背もたれ部を駆動し、前記第２電気駆動部は、前記太もも部が前記座位部に対して回転するように前記太もも部を駆動する。
【０００９】
好ましくは、前記第１電気駆動部は、前記背もたれ部が前記座位部に対して上方へ回転するように前記背もたれ部を駆動し、前記第２電気駆動部は、前記太もも部が前記座位部に対して上方へ回転するように前記太もも部を駆動し、この状態で、前記すね部は重力により前記太もも部に対して下方へ回転する。
【００１０】
好ましくは、前記第１電気駆動部は、第１モーターと、第１モーターと接続される第１モーターロッドと、を含み、第１モーターは前記座位部における第１モーター取り付け部に固定され、第１モーターロッドは第１モーターロッド取り付け部に接続して固定され、第１モーターロッド取り付け部は前記背もたれ部と共に回転する第１回転軸に固定され、前記第２電気駆動部は、第２モーターと、第２モーターと接続される第２モーターロッドと、を含み、第２モーターは前記座位部における第２モーター取り付け部に固定され、第２モーターロッドは第２モーターロッド取り付け部に接続して固定され、第２モーターロッド取り付け部は前記太もも部と共に回転する第２回転軸に固定される。
【００１１】
好ましくは、前記背もたれ部と前記座位部との間の角度は、１０４度から１８０度までの範囲で調整可能であり、前記太もも部と前記座位部との間の角度は、１３８度から１８０度までの範囲で調整可能である。
【００１２】
好ましくは、前記マットレスフレームは更に底座枠を含み、前記底座枠は前記座位部の底部に接続して固定される。
【００１３】
好ましくは、前記マットレスクラッドは、内層である高反発スポンジと外層であるジュート板を含む。
【００１４】
好ましくは、前記電動マットレスは、コントローラを更に含み、前記コントローラは、前記第１電気駆動部と前記第２電気駆動部とを別々制御する。
【００１５】
好ましくは、前記コントローラは、有線制御装置である。好ましくは、前記コントローラは、無線制御装置である。
【００１６】
本考案に係る電動マットレスは、モーターを内蔵しているため、電動ベッドと同じ効果を奏し、周囲に電源があれば、室内の床に設置してもよく、室外にも利用できる。また、本考案に係る電動マットレスはマットレスとベッドフレームを分離でき、ユーザのニーズに応じて、様々な状況において使用することができる。
【考案の効果】
【００１７】
本考案によれば、各構成間の角度を便利に調節できる電動マットレスを提供することができる。
【図面の簡単な説明】
【００１８】
【図１】図１は本考案の実施形態に係る電動マットレスの全体構成を示す構成図である。
【図２】図２は本考案の実施形態に係る電動マットレスの部分断面図である。
【図３】図３は本考案の実施形態に係る電動マットレスのマットレスフレームが調節されていない状態の斜視図である。
【図４】図４は本考案の実施形態に係る電動マットレスのマットレスフレームが調節された状態の斜視図である。
【図５Ａ】図５Ａはマットレスフレームの座位部の動作の斜視図である。
【図５Ｂ】図５Ｂはマットレスフレームの座位部の動作の斜視図である。
【図６Ａ】図６Ａはマットレスフレームの座位部の動作の側面図である。
【図６Ｂ】図６Ｂはマットレスフレームの座位部の動作の側面図である。
【図７】図７はマットレスフレームの背もたれ部の斜視図である。
【図８】図８はマットレスフレームの座位部の斜視図である。
【図９】図９はマットレスフレームの太もも部の斜視図である。
【図１０】図１０はマットレスフレームのすね部の斜視図である。
【図１１Ａ】図１１Ａはマットレスフレームの底座枠の斜視図である。
【図１１Ｂ】図１１Ｂはマットレスフレームの底座枠の斜視図である。
【考案を実施するための形態】
【００１９】
以下、本分野の当業者が本考案の内容をより理解するために、図面を参照しながら、本考案に係る電動マットレスの具体的な実施形態を詳しく説明する。図面において、同じまたは対応する構成要素に、同じ参照番号を付する。なお、以下は本考案に係る電動マットレスの最良な実施形態に過ぎず、本考案は以下の実施形態に限定されるものではない。
【００２０】
図１は本考案の実施形態に係る電動マットレス１の構成図である。図１に示すように、電動マットレス１は従来技術と異なり、マットレスとベッドフレームとを同時に使う必要がない。電気駆動装置（図１に示されていない）を内蔵しているため、ユーザは必要に応じてマットレスの各部分を適切な角度に調節することができる。例えば、図１に示すように、背もたれ部が持ち上げられた時、横になって読書することや、腰が不便の老人が一人で立ち上がることなどに便利で、足部が持ち上げられた時に、足部の血液循環が改善され、心臓の圧力を下げ、心臓の健康に役に立つ。
【００２１】
本考案の実施形態に係る電動マットレス１は、外部電源がある場所であれば、例えば、リビングルーム、ベランダや庭等、どこでも設置することができる。また、電動マットレス１は、内蔵の充電式電源を備えてもよく、この場合に、より広い範囲で利用することができる。
【００２２】
図１に示されていないが、電動マットレス１は電動マットレス１内の電気駆動装置を制御するコントローラを含む。コントローラは、ケーブルコントローラでもよく、無線コントローラでもよい。
【００２３】
また、便利に解体や洗浄をするため、電動マットレス１は外部に「着脱洗浄可能なカバー」に包まれる。
【００２４】
図２〜４を参照しながら、本考案に係る電動マットレス１の構造を詳しく説明する。図２は本考案の実施形態に係る電動マットレスの部分断面図である。
【００２５】
図２に示すように、電動マットレス１はマットレスフレーム１０と、マットレスフレーム１０を包むマットレスクラッド１１と、を備える。
【００２６】
図２において、マットレスフレーム１０は、主に骨組みとしての鋼フレーム２０と支えとしての鉄板２１により構成される。なお、マットレスフレームは、鉄骨とワイヤークロスにより構成されてもよい。
【００２７】
マットレスクラッド１１はスポンジ２２とジュート板２３から構成される。図２において、マットレスフレーム１０は側面に高反発スポンジを用い、底面に普通のスポンジを用いる。ユーザの快適さのため、頂面に高反発スポンジとジュート板の二層構造を用いる。また、ユーザの要望に応じて、ジュートの替わりにシュロを使ってもよい。
【００２８】
図３は本考案の実施形態に係る電動マットレス１のマットレスフレーム１０が調節されない状態の斜視図である。
【００２９】
図３に示すように、マットレスフレーム１０は、背もたれ部１０１と、座位部１０２と、太もも部１０３と、すね部１０４と、を含む。座位部１０２と背もたれ部１０１との間、座位部１０２と太もも部１０３との間は回転可能に接続されており、これにより、座位部１０２と背もたれ部１０１との間、座位部１０２と太もも部１０３との間の角度を調節することができる。また、太もも部１０３とすね部１０４との間も回転可能に接続されている。
【００３０】
また、マットレスフレーム１０は、バランスをとり支持するための底座枠１０５を更に含む。
【００３１】
図３における平置き状態では、電動マットレス１の外観は、普通のマットレスと同じである。
【００３２】
図４は本考案の実施形態に係る電動マットレス１のマットレスフレーム１０が調節された状態の斜視図である。
【００３３】
図４に示すように、電動マットレス１は、背もたれ部１０１が座位部１０２に対して上へ回転され、太もも部１０３が座位部１０２に対して上へ回転され、これと同時に、すね部１０４は重力により太もも部１０３に対して下へ回転する。図４の調節状態で、電動マットレス１の外観は図１に示すようになる。
【００３４】
上記のように、電動マットレス１の角度調節機能は背もたれ部１０１と太もも部１０３が座位部１０２に対して回転することにより実現される。
【００３５】
図５Ａ、５Ｂと図６Ａ、６Ｂを参照しながら、本考案に係る電動マットレス１の角度調節原理を詳しく説明する。図５Ａと図５Ｂはマットレスフレーム１０の座位部１０２の動作の斜視図である。図６Ａと図６Ｂはマットレスフレーム１０の座位部１０２の動作の側面図である。座位部１０２に第１電気駆動装置と第２電気駆動装置が設置されている。
【００３６】
図５Ａに示すように、第１電気駆動装置は、第１モーター１０６と、第１モーター１０６と接続される第１モーターロッド１０７と、を含む。第１モーター１０６は座位部１０２における第１モーター取り付け部１１０に固定され、第１モーターロッド１０７は背もたれ部１０１に接続して固定される。
【００３７】
第１モーターロッド１０７は第１モーターロッド取り付け部１１２を介して第１回転軸１１３に接続して固定され、第１回転軸１１３の両端における回転固定シート１１４は背もたれ部１０１（図示せず）に接続して固定される。
【００３８】
図５Ａに示すように、第２電気駆動装置は、第２モーター１０８と、第２モーター１０８と接続される第２モーターロッド１０９と、を含む。第２モーター１０８は座位部１０２における第２モーター取り付け部１１１に固定され、第２モーターロッド１０９は太もも部１０３に接続して固定される。
【００３９】
第２モーターロッド１０９は第２モーターロッド取り付け部１１５を介して第１回転軸１１６に接続して固定され、回転軸１１６の両端における回転固定シート１１７は背もたれ部１０１（図示せず）に接続して固定される。
【００４０】
図５Ａは、背もたれ部１０１と太もも部１０３とが調節された状態を示す。図５Ｂは、背もたれ部１０１と太もも部１０３とが調節されていない状態を示す。
【００４１】
図６Ａ、６Ｂを参照して、図５Ａ、５Ｂと同じように、図６Ａは、背もたれ部１０１と太もも部１０３が調節された状態を示し、図６Ｂは、背もたれ部１０１と太もも部１０３が調節されていない状態を示す。
【００４２】
図６Ａからわかるように、背もたれ部１０１（回転固定シート１１４）と座位部１０２との間の角度は１０４度から１８０度までの範囲で調整可能であり、太もも部１０３（回転固定シート１１７）と座位部１０２との間の角度は１３８度から１８０度までの範囲で調整可能ある。
【００４３】
なお、上記角度範囲は一例にすぎず、第１モーター１０６と第２モーター１０８のストローク長さを選択することにより、上記角度範囲を変えることができる。
【００４４】
図７〜１１を参照しながら、本考案に係るマットレスフレーム１０における各部分の接続関係を説明する。図７はマットレスフレーム１０の背もたれ部１０１の斜視図である。図７に示すように、背もたれ部１０１は回転固定シート１１４に接続して固定される。第１モーターロッド取り付け部１１２は第１モーターロッド１０７に接続される。第１モーターロッド取り付け部１１２と回転固定シート１１７は、回転軸１１３に接続して固定され、回転軸１１３と共に回転する。回転固定シート１１４は、背もたれ部１０１に接続して固定され、回転軸１１３が回転する時に、背もたれ部１０１を駆動し同時に回転させる。
【００４５】
図８はマットレスフレーム１０の座位部１０２の斜視図である。図８において第１モーター１０６と第２モーター１０８が表示されておらず、第１モーター取り付け部１１０と第２モーター取り付け部１１１しか表示されていない。図８において、太もも部１０３に接続して固定される回転固定シート１１７は表示されている。座位部１０２が背もたれ部１０１、太もも部１０３との間の接続関係は既に図５を参照して詳しく説明したため、ここで省略する。また、座位部１０２において、ボルトにより座位部１０２を底座枠１０５に固定するためのねじ穴１２１′、１２２′が設けられている。
【００４６】
図９はマットレスフレーム１０の太もも部１０３の斜視図である。第２モーターロッド１０９は図５Ａにおける第２モーターロッド取り付け部１１５に接続される。第２モーターロッド取り付け部１１５と回転固定シート１１７は、回転軸１１６に接続して固定され、回転軸１１６と共に回転する。回転固定シート１１７は、太もも部１０３に接続して固定され、回転軸１１６が回転する時に太もも部１０３を駆動し同時に回転させる。また、図９に示すように、太もも部１０３側にすね部１０４と接続するための1対の取付座１１９が設置されている。
【００４７】
図１０はマットレスフレーム１０のすね部１０４の斜視図である。すね部１０４側に1対のＵ字型フレーム１２０は設置されており、太もも部１０３とすね部１０４が相対的に回転できるように、太もも部１０３の取付座１１９はすね部１０４のＵ字型フレームと嵌合する。
【００４８】
図１１Ａと図１１Ｂはマットレスフレーム１０の底座枠１０５の斜視図である。図１１Ａに示すように、底座枠１０５は長方形のフレームであり、その長い辺に1対の取付部１２１、１２２がそれぞれ設置され、ボルト等により座位部１０２のねじ穴１２１′、１２２′（図８を参照されたい）に取り付けられる。底座枠１０５は、マットレスフレーム１０の全体を支持して、バランスをとる。
【００４９】
本考案に係る電動マットレスは、ユーザの希望に応じて所定範囲内で座位部１０２と背もたれ部１０１との間の角度、又は座位部１０２と太もも部１０３との間の角度を連続的に調節でき、容易に最も快適な角度を見つけることができ、寝心地良くユーザの背部、臀部、太もも部及びすね部のいずれにも支える。また、ユーザは、いつでも上記角度を調節することができ、長時間同じ姿勢で寝転ぶことによる体の疲労を防ぐことができる。
【００５０】
以上、特定の実施例を参照して本考案を説明したが、本考案はこれらの実施例に限定されるものではない。る当業者は、本考案の範囲および概念から逸脱しない範囲で、これらの実施例への変更または修正は、本考案の技術的範囲に属する。
【符号の説明】
【００５１】
１  電動マットレス
１０  マットレスフレーム
１１  マットレスクラッド
１０１  背もたれ部
１０２  座位部
１０３  太もも部
１０４  すね部
【図１】
0003218432.tif 000003
【図２】
0003218432.tif 000004
【図３】
0003218432.tif 000005
【図４】
0003218432.tif 000006
【図５Ａ】
0003218432.tif 000007
【図５Ｂ】
0003218432.tif 000008
【図６Ａ】
0003218432.tif 000009
【図６Ｂ】
0003218432.tif 000010
【図７】
0003218432.tif 000011
【図８】
0003218432.tif 000012
【図９】
0003218432.tif 000013
【図１０】
0003218432.tif 000014
【図１１Ａ】
0003218432.tif 000015
【図１１Ｂ】
0003218432.tif 000016